【手続補正書】
【提出日】平成22年10月14日(2010.10.14)
【手続補正１】
【補正対象書類名】特許請求の範囲
【補正対象項目名】全文
【補正方法】変更
【補正の内容】
【特許請求の範囲】
【請求項１】
釣り糸を前方に繰り出すスピニングリールのスプールのスプール軸に装着可能であり、前記スプールにドラグ力を作用させるためのドラグ摩擦部のドラグ力を調整するためのスピニングリールのドラグつまみ組立体であって、
鍔部を有し前記スプール軸に回転不能かつ軸方向移動自在に設けられた第１部材、前記第１部材と相対回動自在に設けられ前記スプール軸に螺合するとともに、前記鍔部を覆うように前記第１部材に向けて筒状に突出する突出部を有する第２部材、及び前記第１部材と前記第２部材とを軸方向移動不能かつ回転自在に連結する連結部材、を有し、前記ドラグ力を調整するためのつまみ部と、
前記スプールと前記第１部材との間に配置され、前記スプールと前記第１部材との隙間をシールする第１シール部材と、
前記第１シール部材と前記第２部材との間に配置され、前記第２部材の前記突出部の外周面に接触可能な筒状の接触部を有し、前記第１部材と前記第２部材との隙間をシールする第２シール部材と、
を備えたスピニングリールのドラグつまみ組立体。
【請求項２】
前記第２シール部材は、前記接触部の内周側に形成され前記突出部の端面に係合する環状凹部をさらに有する、請求項１に記載のスピニングリールのドラグつまみ組立体。
【請求項３】
前記第１部材は外周面に環状溝を有し、
前記第１シール部材は、前記環状溝に装着される止め輪により前記第２シール部材から離反する方向への移動が規制されている、請求項１又は２に記載のスピニングリールのドラグつまみ組立体。
【請求項４】
前記第１シール部材は、前記スプールの内周面に接触する先細り断面のリップ部を有する、請求項１から３のいずれか１項に記載のスピニングリールのドラグつまみ組立体。
【請求項５】
前記つまみ部は、前記第１部材と前記第２部材との間に配置され前記第１部材と前記第２部材との相対回動により発音する発音機構をさらに有する、請求項１から４のいずれか１項に記載のスピニングリールのドラグつまみ組立体。
【請求項６】
前記第１部材は、金属製であり、
前記発音機構は、
前記第１部材の前記鍔部の前面に回転不能に装着され、周方向に間隔を隔てて複数の音出し凹部が形成された合成樹脂製の音出し板と、
前記音出し凹部に向けて付勢された状態で前記第２部材に移動可能に装着された打撃部材と、を有する、請求項５に記載のスピニングリールのドラグつまみ組立体。
【請求項７】
前記第２部材は、
円板部及び前記円板部より小径の前記突出部を有する合成樹脂製のつまみ本体と、前記円板部を覆うように前記つまみ本体の前面に固定された金属製の円板状のカバー部と、前記カバー部の前面に径方向に沿って固定された金属製の操作つまみと、を有するつまみ体と、
前記つまみ体に回転不能かつ軸方向移動自在に装着され、前記スプール軸に螺合するナット部と、
前記ナット部と前記第１部材との間に配置されたばね部材とを有する、請求項１から６のいずれかに記載のスピニングリールのドラグつまみ組立体。
【手続補正２】
【補正対象書類名】明細書
【補正対象項目名】全文
【補正方法】変更
【補正の内容】
【発明の詳細な説明】
【発明の名称】スピニングリールのドラグつまみ組立体
【技術分野】
【０００１】
本発明は、ドラグつまみ組立体、特に、釣り糸を前方に繰り出すスピニングリールのスプールのスプール軸に装着可能であり、スプールにドラグ力を作用させるためのドラグ摩擦部のドラグ力を調整するためのスピニングリールのドラグつまみ組立体に関する。
【背景技術】
【０００２】
一般に、釣り糸を前方に繰り出すスピニングリールのフロントドラグ式のスプールには、スプールにドラグ力を作用させるためのドラグ機構が装着されている。ドラグ機構を装着することで、仕掛けに魚がかかったときに負荷が急激に上昇しても釣り糸が切れにくくなる。ドラグ機構は、スプール軸とスプール軸に回転自在に支持されたスプールとの間に設けられ、スプール軸に螺合しドラグ力を調整するためのドラグつまみ組立体と、ドラグつまみ組立体とスプールとの間に設けられた１又は複数のドラグ座金を有するドラグ摩擦部とを備えている。ドラグつまみ組立体は、ドラグ摩擦部に接触可能に配置されており、ドラグ摩擦部は、通常、スプールの前部に形成された円形凹部に装着されている。
【０００３】
この種のドラグ機構において、ドラグ摩擦部の内部への液体の浸入を簡素なシール構造で行えるものが、従来知られている（たとえば、特許文献１参照）。従来のドラグ機構では、ドラグつまみ組立体が鍔部を有する第１部材と、スプール軸に螺合する第２部材と、を有している。第２部材は、鍔部を覆うように第１部材にむけて筒状に突出して形成されている。また、スプールとドラグつまみ組立体との隙間及び第１部材と第２部材との隙間を同時にシールするシール部材が設けられている。シール部材は、第１部材の外周面に装着されており、前面が第２部材の筒状部の後端面に接触し、外周部がスプールの内周面に接触している。
【特許文献１】特開２００４−１３５５４２号公報
【発明の開示】
【発明が解決しようとする課題】
【０００４】
前記従来の構成では、１つのシール部材で２つの隙間をシールしているので、第１部材と第２部材との隙間からスプール軸の外周を通ってドラグ摩擦部の内部に液体が浸入するのを防止できる。
【０００５】
しかし、前記従来の構成では、たとえば、バケツなどに水を入れて洗浄したりする際に、水圧によりシール部材が後方に押し下げられて変形することがある。シール部材が変形すると、シール部材と第２部材の筒状部の後端面との間に隙間が生じ、液体がドラグつまみ組立体の内部に流入するおそれがある。
【０００６】
本発明の課題は、シール部材に水圧が作用しても、ドラグつまみ組立体の内部への液体の流入を防止できるようにすることにある。
【課題を解決するための手段】
【０００７】
発明１に係るスピニングリールのドラグつまみ組立体は、釣り糸を前方に繰り出すスピニングリールのスプールのスプール軸に装着可能であり、スプールにドラグ力を作用させるためのドラグ摩擦部のドラグ力を調整するためのスピニングリールのドラグつまみ組立体であって、つまみ部と、第１シール部材と、第２シール部材と、を備えている。つまみ部は、鍔部を有しスプール軸に回転不能かつ軸方向移動自在に設けられた第１部材、第１部材と相対回動自在に設けられスプール軸に螺合するとともに、鍔部を覆うように第１部材に向けて筒状に突出する突出部を有する第２部材、及び第１部材と第２部材とを軸方向移動不能かつ回転自在に連結する連結部材を有し、ドラグ力を調整するためのものである。第１シール部材は、スプールと第１部材との間に配置され、スプールと第１部材との隙間をシールする部材である。第２シール部材は、第１シール部材と第２部材との間に配置され、第２部材の突出部の外周面に接触可能な筒状の接触部を有し、第１部材と第２部材との隙間をシールする部材である。
【０００８】
このドラグつまみ組立体では、第１シール部材と第２部材との間に配置された第２シール部材が、第２部材の筒状の突出部の外周面に接触する筒状の接触部を有しており、この第２シール部材により第１部材と第２部材との隙間がシールされる。また、スプールと第１部材との間に配置された第１シール部材によりスプールと第１部材との間がシールされる。ここでは、第２シール部材が筒状の接触部で第２部材の突出部の外周面に接触している。このため、第１シール部材と第２シール部材とを一体形成した場合に、第１シール部材に水圧が作用して押し下げられても、第２シール部材が変形しにくくなる。このため、２つのシール部材に水圧が作用しても、第１部材と第２部材との間からドラグつまみ組立体の内部に液体が流入しにくくなる。しかも、第１シール部材と第２シール部材と別体にした場合には、第１シール部材が変形しても第２シール部材はより変形しにくくなり、ドラグつまみ組立体の内部に液体がさらに流入しにくくなる。
【０００９】
発明２に係るスピニングリールのドラグつまみ組立体は、発明１に記載のつまみにおいて、第２シール部材は、接触部の内周側に形成され突出部の端面に係合する環状凹部をさらに有する。この場合には、突出部の後端部の外周面に加えて内周面もシール可能になるので、ドラグつまみ組立体の内部に液体がさらに流入しにくくなる。
【００１０】
発明３に係るスピニングリールのドラグつまみ組立体は、発明１又は２に記載のつまみにおいて、第１部材は外周面に環状溝を有し、第１シール部材は、環状溝に装着される止め輪により第２シール部材から離反する方向への移動が規制されている。この場合には、止め輪により第１シール部材の後方への移動を規制できるので、第１シール部材を環状溝などに直接装着する必要がなくなる。このため、バックアップリングなどを入れて第１シール部材を補強することができ、水圧が第１シール部材に作用しても第１シール部材を変形しにくくできる。
【００１１】
発明４に係るスピニングリールのドラグつまみ組立体は、発明１から３のいずれかに記載のつまみにおいて、第１シール部材は、スプールの内周面に接触する先細り断面のリップ部を有する。この場合には、スプールと第１シール部材との接触面積が小さくなるので、スプールと第１シール部材とが相対回転してもスプールの回転に影響を与えにくくなる。
【００１２】
発明５に係るスピニングリールのドラグつまみ組立体は、発明１から４のいずれかに記載のつまみにおいて、つまみ部は、第１部材と第２部材との間に配置され第１部材と第２部材との相対回動により発音する発音機構をさらに有する。この場合には、第１部材と第２部材との間に発音機構を設けても、ドラグつまみ組立体の内部への液体の流入を防止できる。
【００１３】
発明６に係るスピニングリールのドラグつまみ組立体は、発明５に記載のつまみにおいて、第１部材は、金属製であり、発音機構は、第１部材の鍔部の前面に回転不能に装着され、周方向に間隔を隔てて複数の音出し凹部が形成された合成樹脂製の音出し板と、音出し凹部に向けて付勢された状態で第２部材に移動可能に装着された打撃部材と、を有している。この場合には、第１部材を耐熱性が高い金属製にしているので、摩擦部からの熱が伝わっても、熱による問題が生じにくい。また、音出し凹部が形成された部分を合成樹脂製にすることにより、音出し凹部の製造が容易になるとともに、たとえば、ポリアセタールなどのように摺動性が高い合成樹脂を用いることで、強い打撃力を与えても軽い力で操作することができ、音出し凹部の耐久性が向上する。
【００１４】
発明７に係るスピニングリールのドラグつまみ組立体は、発明１から６のいずれかに記載のつまみにおいて、第２部材は、つまみ体と、ナット部と、ばね部材と、を有している。つまみ体は、円板部及び円板部より小径の突出部を有する合成樹脂製のつまみ本体と、円板部を覆うようにつまみ本体の前面に固定された金属製の円板状のカバー部と、カバー部の前面に径方向に沿って固定された金属製の操作つまみと、を有している。ナット部は、つまみ体に回転不能かつ軸方向移動自在に装着され、スプール軸に螺合するものである。ばね部材は、ナット部と第１部材との間に配置された部材である。
【００１５】
この場合には、合成樹脂製のつまみ本体の鍔部の前面が金属製のカバー部によって覆われているので、ドラグつまみ組立体の前面の意匠が向上するとともに、前面が傷つきにくくなる。しかも、発音機構や第１部材の鍔部を収納する構成を合成樹脂の型成形により容易に形成できる。
【発明の効果】
【００１６】
本発明によれば、第２シール部材が筒状の接触部で第２部材の突出部の外周面に接触している。このため、第１シール部材と第２シール部材とを一体形成した場合に、第１シール部材に水圧が作用して押し下げられても、第２シール部材が変形しにくくなる。このため、２つのシール部材に水圧が作用しても、第１部材と第２部材との間からドラグつまみ組立体の内部に液体が流入しにくくなる。しかも、第１シール部材と第２シール部材と別体にした場合には、第１シール部材が変形しても第２シール部材はより変形しにくくなり、ドラグつまみ組立体の内部に液体がさらに流入しにくくなる。
【発明を実施するための最良の形態】
【００１７】
〔全体構成及びリール本体の構成〕
図１及び図２において、本発明の一実施形態を採用したスピニングリールは、ハンドル組立体１を回転自在に支持するリール本体２と、ロータ３と、スプール４とを備えている。ロータ３は、スプール４に釣り糸を巻き付けるものであり、リール本体２の前部に回転自在に支持されている。スプール４は、外周面に釣り糸を巻き取るものであり、ロータ３の前部に前後移動自在に配置されている。なお、ハンドル組立体１は、図１に示すリール本体２の左側と、リール本体２の右側とのいずれにも装着可能である。
【００１８】
ハンドル組立体１は、図１に示すように、ハンドル軸１０の先端に装着されるハンドルアーム８と、ハンドルアーム８の先端に装着されたハンドル把手９とを備えている。
【００１９】
〔ハンドル把手の構成〕
ハンドル把手９は、図３に示すように、ハンドルアーム８の先端にカシメ固定された把手軸１８に回転自在に装着されている。把手軸１８の基端側には、把手軸１８の軸方向の位置決め及びハンドル把手９を固定するための大径部９５が形成されている。
【００２０】
ハンドル把手９は、把手軸１８の外周側に装着される筒状の装着部９０と、装着部９０の外周面に接着により固定された略球状の把手部９１とを有している。装着部９０は、たとえば、ステンレス合金やアルミニウム合金等の金属製の部材である。装着部９０の内周部には、ハンドル把手９を把手軸１８で回転自在に支持するための１対の軸受９４ａ，９４ｂが軸方向に間隔を隔てて装着されている。装着部９０の先端側外周面には、キャップ９６を固定するための雄ねじ部９０ａが形成されている。また、把手軸１８の先端には、ハンドル把手９を把手軸１８に抜け止めするための抜け止めボルト９７がねじ込まれている。抜け止めボルト９７は、装着部９０の先端側に形成された軸受９４ｂ装着用の装着穴９０ｂ内で軸受９４ｂを介して装着部９０を把手軸１８に対して抜け止めしている。装着部９０の把手部９１の接着部分には、たとえば環状の接着剤溜まり９０ｃが形成されている。
【００２１】
把手部９１は、たとえば、炭素繊維強化樹脂製であり、薄肉の中空部材である。把手部９１は、ハンドルアーム８側に配置され外周面が略球状に形成された第１把手９２と、ハンドルアーム８と逆側に配置され外周面が第１把手９２より大径となる部分を一部に有する略球状に形成された第２把手９３とを有している。第１把手９２の内周面は筒状に形成されており、装着部９０の外周面に接着されている。第１把手９２と第２把手９３とは、把手部９１の外周部の最外径部Ｍ付近と、内周部の最外径部Ｍと同一軸方向位置付近と、で重ね合わされて接着により一体化されている。第１把手９２は、把手軸１８の軸芯Ｘから離反した位置を中心として球状に形成されている。
【００２２】
第２把手９３の外周面は、第１把手９２との接合部分からキャップ９６側にかけて点Ｐの位置まで第１把手９２と同じ半径で球状に形成され、点Ｐからキャップ９６が装着される部分まで、第１把手９２より大径の球状に形成されている。第２把手９３の内周面は、キャップの外周面に僅かな隙間をあけて筒状に形成されている。第２把手９３の内周部９３ａには、水抜き孔９３ｂが形成されている。水抜き孔９３ｂは、キャップ９６装着時にキャップ９６で塞がれて水が入りにくい位置に形成されている。第２把手９３の大径の球状部分は、軸芯Ｘを中心に球状に形成されている。
【００２３】
キャップ９６は、アルミニウム合金製の鍔９６ａ付き筒状の部材である。キャップ９６と第２把手９３の内周部９３ａとの間には、液体が把手部９１内に入るのを防止するための、たとえばＯリングからなるシール９８が装着されている。シール９８は、キャップ９６に形成された環状溝９６ｂに装着されている。環状溝９６ｂは、水抜き孔９３ｂより鍔９６ａに接近する位置に形成されている。
【００２４】
リール本体２は、図１及び図２に示すように、開口２ｄを有する、例えばアルミニウム合金製のリールボディ２ａと、開口２ｄを塞ぐようにリールボディ２ａに着脱自在に装着された、例えばアルミニウム合金製の蓋部材２ｂと、リールボディ２ａから斜め上前方に延びる竿取付脚２ｃとを有している。リールボディ２ａは、内部に空間を有しており、その空間内には、ロータ３をハンドル組立体１の回転に連動して回転させるロータ駆動機構５と、スプール４を前後に移動させて釣り糸を均一に巻き取るためのオシレーティング機構６とが設けられている。
【００２５】
ロータ駆動機構５は、図２に示すように、ハンドル組立体１のハンドル軸１０が固定されたメインギア軸１１ａとともに回転するメインギア１１と、このメインギア１１に噛み合うピニオンギア１２とを有している。ピニオンギア１２は筒状に形成されており、その前部１２ａはロータ３の中心部を貫通しており、ナット１３によりロータ３と固定されている。ピニオンギア１２は、その軸方向の中間部と後端部とが、リールボディ２ａに間隔を隔てて装着された軸受１４ａ，１４ｂに、よりリールボディ２ａに回転自在に支持されている。
【００２６】
オシレーティング機構６は、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３は、ピニオンギア１２に噛み合っている。
【００２７】
スプール軸１５は、ピニオンギア１２の中心部を貫通して配置されている。スプール軸１５は、ピニオンギア１２の内部をオシレーティング機構６により前後に往復移動する。スプール軸１５は、中間部がナット１３内に装着された軸受１６により、後部がピニオンギア１２の後部内周面により、回転自在かつ軸方向移動自在に支持されている。スプール軸１５がピニオンギア１２と相対回転しながら前後移動するときに、ピニオンギア１２にスプール軸１５がかじりつくのを防止するために、スプール軸１５の表面には、無電解Ｎｉメッキが施されている。スプール軸１５の先端には、互いに平行な面で構成された回り止めのための係止面１５ａと、ドラグ調整用の雄ねじ部１５ｂとが形成されている。
【００２８】
〔ロータの構成〕
ロータ３は、図２に示すように、筒状の連結部３０と、連結部３０の側方に互いに対向して設けられた第１及び第２ロータアーム３１，３２とを有するロータ本体３３と、ロータ本体３３に揺動自在に装着されたベールアーム３４と、を有している。連結部３０と両ロータアーム３１，３２と有するロータ本体３３は、たとえばアルミニウム合金製であり一体成形されている。
【００２９】
連結部３０の前部には前壁３０ａが形成されており、前壁３０ａの中央部にはボス部３０ｂが形成されている。ボス部３０ｂの中心部には貫通孔３０ｃが形成されており、この貫通孔３０ｃをピニオンギア１２の前部１２ａ及びスプール軸１５が貫通している。前壁３０ａの前部にナット１３が配置されている。
【００３０】
第１ロータアーム３１は、連結部３０から外方に凸に湾曲して前方に延びており、連結部３０の周方向に広がり湾曲している。第２ロータアーム３２は、連結部３０から外方に凸に湾曲して前方に延びており、連結部３０との接続部は連結部３０の周方向に広がり湾曲している。なお、第２ロータアーム３２には、軽量化のために開口（図示せず）が形成されている。
【００３１】
〔ベールアームの構成〕
ベールアーム３４は、第１及び第２ロータアーム３１，３２の先端に糸解放姿勢と糸巻き取り姿勢との間で揺動自在に装着されている。ベールアーム３４は、図示しないベール反転機構により糸解放姿勢と糸巻き取り姿勢とに振り分けて付勢されている。
【００３２】
ベールアーム３４は、図２及び図４に示すように、第１ロータアーム３１の先端の外周側に揺動自在に装着された第１ベール支持部材４０と、第２ロータアーム３２の先端の外周側に揺動自在に装着された第２ベール支持部材４２と、第１ベール支持部材４０の先端に装着されたラインローラ４１と、を有している。また、ベールアーム３４は、第１ベール支持部材４０の先端に固定され第１ベール支持部材４０に片持ち支持された固定軸４３と、固定軸４３の先端側に配置された固定軸カバー４４と、固定軸カバー４４と第２ベール支持部材とを連結するベール４５と、を有している。さらにベールアーム３４は、固定軸４３を第１ベール支持部材４０に固定する固定ボルト４６と、固定ボルト４６を回り止めする回り止め部材４７と、を有している。
【００３３】
第１ベール支持部材４０は、図４から図６に示すように、たとえばクロムメッキにより形成された金属皮膜により外側面が覆われたアルミニウム合金製の部材である。このクロムムメッキにより表面が硬質になり、釣り糸の接触による外側面の傷付きを防止できる。第１ベール支持部材４０の外側面の先端側には、固定ボルト４６の頭部４６ａが収納される第１収納凹部４０ａが形成されている。また基端側には、第１ベール支持部材４０を第１ロータアーム３１に取り付けるための取付ボルト４９の頭部４９ａが収納される円形の第２収納凹部４０ｂが形成されている。第１収納凹部４０ａは、大小２つの円をつないだような概ね雨滴形状に凹んで形成されている。第１収納凹部４０ａの大径の円の中心Ｃ１には、固定ボルト４６が貫通する貫通孔４０ｃが形成されている。また、小径の円の中心Ｃ２には、回り止め部材４７がねじ込まれるねじ込み穴４０ｄが形成されている。さらに、内側面には、ラインローラ４１が配置される円形の第３収納凹部４０ｅが形成されている。
【００３４】
固定軸４３は、固定軸カバー４４と別体で形成されている。固定軸４３は、固定軸カバー４４を第１ベール支持部材４０に固定するとともに、ラインローラ４１を回転自在に支持するために設けられている。固定軸４３は大径の頭部４３ａと、頭部４３ａに続いて頭部４３ａより小径に形成された第１係止部４３ｂと、ラインローラ４１を支持する支持部４３ｃと、支持部４３ｃの先端に形成された第２係止部４３ｄと、を有している。固定軸４３の先端部には、固定ボルト４６が螺合する雌ねじ部４３ｅが形成されている。第１係止部４３ｂは、固定軸カバー４４に係合し、第２係止部４３ｄは、第１ベール支持部材４０に係合し、これらの係合により固定軸カバー４４と固定軸４３と第１ベール支持部材４０の回り止めがなされる。
【００３５】
固定ボルト４６は、非円形の頭部４６ａを有しており、この実施形態では、頭部４６ａは、８角形の各片を円弧状に凹ませた８つの回り止め凹部４６ｂを有している。回り止め凹部４６ｂは、回り止め部材４７が係合可能な円弧で形成されている。したがって、その円弧の中心は回り止め部材４７の中心である小径の円の中心Ｃ２と実質的に一致するように形成されている。頭部４６ａの表面には、直径に沿ってドライバーなどの工具を係止するためのすり割り４６ｃが形成されている。固定ボルト４６により固定軸４３を固定する際には、回り止め凹部４６ｂが回り止め部材４７に係合可能な位置まで固定ボルト４６を締め付ける。
【００３６】
回り止め部材４７は、たとえば、すり割り４７ａが基端に形成されたホローセットスクリューであり、一般のボルトのように大径の頭部を有していない円柱状のボルトである。回り止め部材４７は、ねじ込み穴４０ｄの底部までねじ込まれて第１収納凹部４０ａに固定される。
【００３７】
ここでは、頭部を有さないホローセットスクリューにより固定ボルト４６を回り止めできるので、その分だけ回り止め部材４７を配置するスペースを小さくすることができ、回り止め部材４７を配置しても、第１ベール支持部材が大型化しにくくなる。しかも、ホローセットスクリューが六角穴付きではなく、すり割り付きであるので、サイズが小さいものであっても工具により回したときの変形を抑えることができる。
【００３８】
また、非円形の頭部４６ａを有する固定ボルト４６により固定軸４３が第１ベール支持部材４０に固定されている。この固定軸４３にラインローラ４１が回転自在に支持され釣り糸をスプール４に案内している。ここでは、固定ボルト４６の非円形の頭部４６ａの外周面には、回り止め部材４７が接触して固定ボルト４６が回り止めされている。このため、固定軸４３を第１ベール支持部材４０に固定する固定ボルト４６が緩みにくくなり、固定ボルト４６の緩みに起因する不具合、たとえば、ラインローラ４１のがたつきの発生を抑えることができる。スピニングリールの場合、ラインローラ４１ががたついたり位置が不安定になったりすると、糸ヨレが生じる原因になったり糸噛みが生じる原因になったりする。
【００３９】
固定軸カバー４４は、図４に示すように、略Ｕ状に湾曲させた形状のベール４５と、たとえば鍛造により一体形成されている。固定軸カバー４４には、固定軸４３を装着可能な大きく装着凹部４４ａが形成され、装着凹部４４ａの底部には、第１係止部４３ｂが係合するスロット４４ｂが形成されている。ベール４５の先端は、第２ベール支持部材４２にカシメ固定されている。
【００４０】
ラインローラ４１は、軸方向に間隔を隔てて配置された２つの軸受４８ａ，４８ｂにより固定軸４３に回転自在に支持されている。ラインローラ４１は、軸方向の中心に形成された小径のガイド溝４１ａを挟んで第１筒部４１ｂと第２筒部４１ｃとが形成されている。第１筒部４１ｂは、固定軸カバー４４内に入り込んでおり、第２筒部４１ｃより小径である。第２筒部４１ｃは、第１ベール支持部材４０の先端に形成された円形の第３収納凹部４０ｅ内に入り込んでいる。ラインローラ４１の内部には、軸受４８ａ，４８ｂを装着するためのカラーやスペーサやワッシャが装着されている。
【００４１】
図２に示すように、ロータ３の連結部３０の内部にはロータ３の逆転を禁止するための逆転防止機構５０が配置されている。逆転防止機構５０は、内輪が遊転するローラ型のワンウェイクラッチ５１を有している。この逆転防止機構５０は、ロータ３の糸繰り出し方向の逆転を常時禁止しており、逆転を許可する状態をとることはない。
【００４２】
〔スプールの構成〕
スプール４は、図２に示すように、ロータ３の第１ロータアーム３１と第２ロータアーム３２との間に配置されており、スプール軸１５の先端に装着されている。スプール４は、図７に示すように、外周に釣り糸が巻かれる、たとえばアルミニウム合金製の糸巻き胴部４ａと、糸巻き胴部４ａの後部に一体で形成されたスカート部４ｂと、糸巻き胴部４ａの前端に一体形成された前フランジ部４ｃとを有している。スプール４の内部には、設定されたドラグ力がスプール４に作用するようにスプール４を制動するドラグ機構６０と、ドラグ作動時に発音するドラグ発音機構８５と、が収納されている。
【００４３】
糸巻き胴部４ａは、円筒状の部材であり、外周面はスプール軸１５と平行な周面で構成されている。糸巻き胴部４ａは、釣り糸が巻き付けられる筒状部４ｄと、筒状部４ｄの内周面に一体形成された円板状の支持壁部４ｅと、支持壁部４ｅの内周側に形成された筒状の軸支部４ｆと、を有している。
【００４４】
スカート部４ｂは、糸巻き胴部４ａの後方から径方向に延びる後フランジ部４ｈと、後フランジ部４ｈの外周側から後方に筒状に延びる円筒部４ｉと、を有している。この円筒部４ｉの内側にロータ３の連結部３０が配置されている。
【００４５】
前フランジ部４ｃの外周面には、釣り糸を糸巻き胴部４ａからスムーズに放出するための金属製のスプールリング２０が装着されている。スプールリング２０は、先広がりの傾斜面２０ａを有している。スプールリング２０は、リング固定部材１９により前フランジ部４ｃに固定されている。リング固定部材１９は、前フランジ部４ｃから前方に突出する筒状の雌ねじ部４ｊに螺合している。
【００４６】
図７及び図８に示すように、糸巻き胴部４ａの内部において、支持壁部４ｅの前方には、ドラグ機構６０を収納するためのドラグ収納筒部５２が一体回転可能に装着されている。ドラグ収納筒部５２の前方には、軸支部４ｆとでスプール４をスプール軸１５に対して回転自在に支持するための支持筒部５３が装着されている。
【００４７】
ドラグ収納筒部５２の内部には、ドラグ機構６０の後述する摩擦部（ドラグ摩擦部の一例）６２が収納されている。ドラグ収納筒部５２は、周方向に間隔を隔てて形成された複数（たとえば、８つ）の半円形の係止凹部５２ａを内周面に有している。また、スプール４の支持壁部４ｅに形成された複数（例えば４つ）の係合孔４ｇに係合する周方向に間隔を隔てて形成された複数（たとえば、４つ）の係合突起５２ｂを後面に有している。これにより、ドラグ収納筒部５２は、スプール４と一体回転する。
【００４８】
支持筒部５３は、糸巻き胴部４ａの筒状部４ｄの内周面に嵌合する装着筒部５３ａと、装着筒部５３ａの内周面に一体形成された円形壁部５３ｂと、円形壁部５３ｂの内周側に形成された筒状の軸支部５３ｃと、を有している。装着筒部５３ａの前側外周面５３ｅは、後側外周面５３ｆより大径に形成されて筒状部４ｄの内周面に嵌合している。この前側外周面５３ｅには、筒状部４ｄと支持筒部５３との隙間から液体の支持筒部５３の後方へ浸入するのを防止するためにＯリング５４が装着されている。Ｏリング５４は、支持筒部５３の前側外周面５３ｅに形成された環状溝５３ｄに装着されている。装着筒部５３ａの後面は、ドラグ収納筒部５２の前面に接触している。支持筒部５３は、その前方でスプール４内部に装着された線材製の抜け止めばね５５によりドラグ収納筒部５２とともに抜け止めされている。抜け止めばね５５は、糸巻き胴部４ａの前面とリング固定部材１９の後面との隙間でスプール４内に保持されている。
【００４９】
スプール軸１５の外周面には、スプール４をスプール軸１５に対して回転自在に支持するための２つの軸受５８ａ，５８ｂが装着される第１支持部５６及び第２支持部５７が嵌め込まれている。第１支持部５６は、スプール軸１５に回転可能に装着されている。第１支持部５６は、鍔部５６ａと鍔部５６ａより小径の筒部５６ｂとを有する鍔付き円筒状の部材である。第１支持部５６は、ドラグつまみ組立体６１と摩擦部６２との間に、両者に接触して配置されている。第１支持部５６の筒部５６ｂの外周面には、軸受５８ａの内輪がカシメ固定されている。軸受５８ａの外輪は、支持筒部５３の軸支部５３ｃに装着されている。これにより、第１支持部５６の筒部５６ｂの外周面に対して軸受５８ａを簡単に抜け止めできる。
【００５０】
第２支持部５７は、スプール軸１５の前側部分に形成された係止面１５ａの後部に固定されている。第２支持部５７は、小径部５７ａと大径部５７ｂとを有する大小二段の段付き筒状の部材である。小径部５７ａには、軸受５８ｂの内輪が装着されている。軸受５８ｂの外輪は、糸巻き胴部４ａの軸支部４ｆに装着されている。大径部５７ｂには、互いに平行な面で構成された第１係止面５７ｃと、第１係止面と直交する第２係止面５７ｄと、が形成されている。この第１係止面５７ｃを貫通するように配置された止めねじ５９により、第２支持部５７はスプール軸１５に回転不能に固定されている。止めねじ５９は、すり割り付きのホローセットスクリューを用いたものであり、第１係止面５７ｃを通って係止面１５ａを貫通するねじ孔にねじ込まれる。
【００５１】
このような構成のスプール４の支持構造では、糸巻き胴部４ａの支持壁部４ｅの前方に支持筒部５３を設け，支持筒部５３に軸受５８ａを配置したので、軸支部４ｆに２つの軸受を並べる従来の構成に比べて、２つの軸受５８ａ，５８ｂの軸方向の間隔を広くすることができる。このため、スプール４の支持間隔が広くなり、スプール４のがたつきを抑えることができる。
【００５２】
〔ドラグ機構の構成〕
ドラグ機構６０は、図７及び図８に示すように、スプール４の糸繰り出し方向への回転を制動してスプール４にドラグ力を作用させるための機構である。ドラグ機構６０は、ドラグ力を手で調整するためのドラグつまみ組立体６１と、ドラグつまみ組立体６１によりスプール４側に押圧されてドラグ力が調整される、たとえば４枚のドラグ座金６２ａ〜６２ｄを有する摩擦部（ドラグ摩擦部の一例）６２と、を備えている。
【００５３】
〔ドラグつまみ組立体の構成〕
ドラグつまみ組立体６１は、図９及び図１０に示すように、第１部材６６及び第１部材６６に対して相対回転する第２部材６７を有するつまみ部６３と、つまみ部６３とスプール４との隙間をシールする第１シール部材６４と、第１部材６６と第２部材６７との隙間をシールする第２シール部材６５と、第１部材６６と第２部材６７との相対回転により発音するつまみ発音機構６８（図１０）と、を有している。
【００５４】
つまみ部６３は、第１及び第２部材６６，６７に加えて第１及び第２部材６６，６７を軸方向移動不能かつ回転自在に連結する連結部材７４をさらに有している。
【００５５】
第１部材６６は、リング状の鍔部６６ａと、鍔部６６ａより小径の円筒部６６ｂとを有する鍔付き筒状の、例えばアルミニウム合金等の金属製の部材である。第１部材６６は、スプール軸１５に回転不能かつ軸方向移動自在に設けられている。鍔部６６ａの前端面には、つまみ発音機構６８を構成する音出し円板（音出し板の一例）６９が一体回転可能に設けられている。
【００５６】
音出し円板６９は、合成樹脂製の部材であり、その前面には、周方向に間隔を隔てて多数の音出し凹部６９ａが形成されている。音出し円板６９の後面には、鍔部６６ａに形成された複数の連結孔６６ｅに嵌合する複数の連結突起６９ｂが形成されている。これにより音出し円板６９は、第１部材６６に対して回り止めされる。
【００５７】
円筒部６６ｂの内周部には、スプール軸１５の係止面１５ａに回転不能に係合する長円状の係止スロット６６ｃが形成されている。円筒部６６ｂの外周面の第１シール部材６４の装着部分の後部には、環状溝６６ｄが形成されている。この円筒部６６ｂの後端面が第１支持部５６を介して摩擦部６２のドラグ座金６２ａに当接する。
【００５８】
第２部材６７は、第１部材６６に対向して配置され、第１部材６６と相対回動自在に設けられている。第２部材６７は、スプール軸１５に螺合するとともに、鍔部６６ａを覆うように第１部材６６に向けて筒状に突出する部材である。第２部材６７は、つまみ体７１と、つまみ体７１に回転不能かつ軸方向移動自在に装着され、スプール軸１５に螺合するナット部７２と、ナット部７２と第１部材６６との間に圧縮状態で配置されたコイルばねからなるばね部材７３とを有している。
【００５９】
つまみ体７１は、円板部７５ａと、円板部７５ａより小径の筒状の突出部７５ｂと、を有する合成樹脂製のつまみ本体７５と、つまみ本体７５の前面に固定された金属製の円板状のカバー部７６と、カバー部７６の前面に径方向に沿って固定された金属製の操作つまみ７７と、を有している。
【００６０】
つまみ本体７５の円板部７５ａの背面側からは、４本のボルト部材６５ａａ〜８０ｄが挿入され，カバー部７６を貫通して操作つまみ７７にねじ込まれている。これにより、カバー部７６と操作つまみ７７がつまみ本体７５に固定される。
【００６１】
突出部７５ｂは、第１部材６６の鍔部６６ａを覆うように第１部材６６に向けて筒状に突出している。突出部７５ｂで覆われた第１部材６６の鍔部６６ａは、突出部７５ｂの内周面に装着された連結部材７４により抜け止めされている。これにより、第１部材６６と第２部材６７とが相対回転自在かつ軸方向移動不能に連結される。つまみ本体７５の内周部には、ナット部７２が軸方向移動自在かつ一体回転可能に収納されるナット収納部７５ｃが形成されている。
【００６２】
カバー部７６は、つまみ本体７５の円板部７５ａの前面及び外周面の一部を覆うように形成されている。この結果、ドラグつまみ組立体６１の機構部分を構成する合成樹脂製のつまみ本体７５はスプール４内に隠れて外部に露出しなくなる。カバー部７６の前面は、中心部分に向けて徐々に厚みが薄くなるように凹んでいる。操作つまみ７７は、カバー部７６の直径に沿って配置され、前方に突出している。
【００６３】
連結部材７４は、弾性を有する金属線材を折り曲げて形成された部材である。連結部材７４は、略正方形の角に相当する４つの角部７４ａを有するＣ字状のばね部材である。連結部材７４は、突出部７５ｂの内周面に形成された環状溝に角部７４ａが係止されることにより突出部７５ｂの内周面に装着されている。連結部材７４は、角部７４ａの間の３つの円弧部７４ｂが鍔部６６ａの後面に接触することにより、鍔部６６ａを抜け止めしている。
【００６４】
ナット部７２は、たとえば六角ナットであり、スプール軸１５の先端外周面に形成された雄ねじ部１５ｂに螺合し、つまみ本体７５の回動に応じてばね部材７３を圧縮する。
【００６５】
第１シール部材６４は、たとえば合成ゴム製の円板状の部材である。第１シール部材６４は、スプール４の支持筒部５３の装着筒部５３ａの内周面と第１部材６６の円筒部６６ｂの外周面との間に配置されている。第１シール部材６４は、環状溝６６ｄに装着された止め輪７０により後方への移動を規制されている。第１シール部材６４は、内周面が第１部材６６の円筒部６６ｂに装着され、外周部が支持筒部５３の装着筒部５３ａの内周面に接触している。第１シール部材６４の内部には、たとえばステンレス合金製の円板状の補強板８１が埋設されている。補強板８１は、第１シール部材６４の成形時に金型内に挿入され、インサート成形されている。第１シール部材６４の外周部には、装着筒部５３ａの内周面に接触する先細り断面のリップ部６４ａが形成されている。リップ部６４ａは前方に向けて傾斜している。また、径方向の途中には、前方に突出する断面三角形状の環状突起部６４ｂが形成されている。この環状突起部６４ｂが第２シール部材６５の背面に接触する。また、第１シール部材６４のリップ部６４ａの前面も第２シール部材６５の外周面の後端部に接触している。
【００６６】
第２シール部材６５は、たとえば、合成ゴム製の有底筒状の部材である。第２シール部材６５は、第１シール部材６４と第２部材６７との間に配置されている。第２シール部材６５は、第２部材６７のつまみ本体７５の突出部７５ｂの外周面に接触可能な筒状の接触部６５ａと、接触部６５ａの内周側に形成され突出部７５ｂの後端面に係合する環状凹部６５ｂと、第１部材６６の円筒部６６ｂの外周面に装着される円板部６５ｃと、を有している。
【００６７】
このような構成のドラグつまみ組立体６１では、第１シール部材６４と第２部材６７との間に配置された第２シール部材６５が、第２部材６７の突出部７５ｂの外周面に接触する筒状の接触部６５ａを有しており、この第２シール部材６５により第１部材６６と第２部材６７との隙間がシールされる。また、スプール４と第１部材６６との間に配置された第１シール部材６４によりスプール４と第１部材６６との間がシールされる。ここでは、第２シール部材６５が筒状の接触部６５ａで第２部材６７のつまみ本体７５の突出部７５ｂの外周面に接触している。このため、第１シール部材６４と第２シール部材６５とを一体形成した場合に、第１シール部材６４に水圧が作用し
て押し下げられても、第２シール部材６５が変形しにくくなる。このため、２つのシール部材６４，６５に水圧が作用しても、第１部材６６と第２部材６７との間からドラグつまみ組立体の内部に液体が流入しにくくなる。しかも、第１シール部材と第２シール部材と別体であるので、第１シール部材６４が変形しても第２シール部材６５はより変形しにくくなり、ドラグつまみ組立体６１の内部に液体がさらに流入しにくくなる。
【００６８】
つまみ発音機構６８は、図１０に示すように、音出し凹部６９ａを有す音出し円板６９と、つまみ本体７５に進退自在に装着された打撃ピン（打撃部材の一例）８２と、打撃ピン８２を音出し凹部６９ａに向けて付勢するコイルバネ８３とを有している。打撃ピン８２は、中央部分が大径で先端及び後端が小径でさらに先端が半球状に丸められたピンであり、ドラグ操作時に第２部材６７と第１部材６６とが相対回転すると、音出し凹部６９ａとの衝突を繰り返して発音する。
【００６９】
〔摩擦部の構成〕
摩擦部６２のドラグ座金６２ａは、図８に示すように、第１部材６６に第１支持部５６を介して接触し、かつスプール軸１５に対して回転不能な金属製の円板部材である。ドラグ座金６２ｂは、スプール４に対して一体回転可能な金属製の円板部材である。ドラグ座金６２ｃは、ドラグ座金６２ａと同様にスプール軸１５に対して回転不能な金属製の円板部材である。ドラグ座金６２ｄは、スプール４及びスプール軸１５に対して回転自在なたとえばフェルト製又はグラファイト製の円板部材である。ドラグ座金６２ａ，６２ｃの中心部には、スプール軸１５の先端側に形成された係止面１５ａに係合する長円形の係止スロット６２ｅが形成されている。ドラグ座金６２ｂの外周面には、径方向外方に突出する複数（たとえば８つ）の耳部６２ｆが形成されている。この耳部６２ｆは、ドラグ収納筒部５２の内周面に周方向に間隔を隔てて配置され、軸方向に沿って形成された複数の係止凹部５２ａに係止されている。これにより、ドラグ座金６２ｂは、スプール４に対して一体回転可能になっている。
【００７０】
ドラグ座金６２ａ〜６２ｄは、支持筒部５３を支持する第１支持部５６により抜け止めされている。したがって、支持筒部５３の前方に配置された抜け止めばね５５を外さないと、ドラグ座金６２ａ〜６２ｄは着脱できない。
【００７１】
ドラグ発音機構８５は、ドラグの作動によりスプール軸１５とスプール４とが相対回転すると発音する機構である。ドラグ発音機構８５は、図８に示すように、スプール４の後フランジ部４ｈの背面に装着されスプール４と一体回転する第１発音部材８６と、第１発音部材８６に対して打撃を繰り返す第２発音部材８７と、を有している。
【００７２】
第１発音部材８６は、鍔付き円筒形状であり、内周面に円弧状の多数の音出し凹部８６ａが形成された金属製の部材である。第１発音部材８６の後面には銘版８８が配置され、銘版８８とともに、第１発音部材８６は後フランジ部４ｈの背面にねじ止めされている。
【００７３】
第２発音部材８７は、音出し凹部８６ａに向けて進退する２つの打撃ピン８７ａと、２つの打撃ピン８７ａを音出し凹部８６ａに向けて付勢する２つのばね部材８７ｂと、を有している。打撃ピン８７ａは、第２支持部５７の第２係止面５７ｄに回転不能に係合する筒状の収納部材８９に収納されている。収納部材８９は、打撃ピン８７ａを進退可能に収納する２つの収納溝８９ｃを有する厚肉円筒状の収納本体部８９ａと、収納本体部８９ａにねじ止めされて収納溝８９ｃを塞ぐとともに、第２係止面５７ｄに係合する円板状のカバー８９ｂと、を有している。収納本体部８９ａの２つの収納溝８９ｃは、収納本体部８９ａの外周面に開口しており、開口側の２つの収納溝８９ｃの間隔が狭くなるように形成されている。カバー８９ｂの内周面には、第２係止面５７ｄに係合する係止スロット８９ｄが形成されている。収納部材８９と、スプール４の支持壁部４ｅとの間にはワッシャ１０１が配置されている。
【００７４】
カバー８９ｂの後面には、第２支持部５７の第１係止面５７ｃに係合する、たとえば合成樹脂製の３枚のスプール位置調整ワッシャ１０２と、スプール４の後方への移動を規制する２枚の規制ワッシャ１０３，１０４とが装着されている。規制ワッシャ１０３，１０４は、スプール軸１５の係止面１５ａに係合する係止スロット１０３ａ，１０４ａが内周部に形成されており、スプール軸１５に対して回転不能である。規制ワッシャ１０４は、段付きワッシャであり、規制ワッシャ１０３とで第３シール部材１０５を保持している。第３シール部材１０５の外周部は、第１発音部材８６の内周面に接触している。第３シール部材１０５は、スプール４の後面から摩擦部６２を含むスプール４内部への液体の流入を防止するために設けられている。
【００７５】
〔リールの操作及び動作〕
釣りを行う前に魚の大きさや種類に合わせてドラグ力を調整する。ドラグ力を調整するには、ドラグつまみ組立体６１を回す。ドラグつまみ組立体６１をたとえば時計回りに回すと、スプール軸１５に螺合するナット部７２によりばね部材７３を介して第１部材６６が摩擦部６２側に押圧される。これによりドラグ力が大きくなる。このとき、第１部材６６と第２部材６７との相対回転により打撃ピン８２が音出し凹部６９ａへの衝突を所定間隔で繰り返し、歯切れがよい軽快なクリック音が発生する。
【００７６】
キャスティング時には、ベールアーム３４を糸開放姿勢に反転させる。これにより第１ベール支持部材４０及び第２ベール支持部材４２が揺動する。この状態で釣り竿を握る手の人差し指で釣り糸を引っかけながら釣り竿をキャスティングする。すると釣り糸は仕掛けの重さにより勢いよく放出される。この状態でハンドル組立体１を糸巻取方向に回転させると、ロータ駆動機構５によりロータ３が糸巻取方向に回転し、ベールアーム３４がベール反転機構（図示せず）により糸巻取位置に復帰し、釣り糸がベール４５からラインローラ４１に移動してスプール４に巻き付けられる。
【００７７】
釣りを行っているときに、大きな魚がかかってラインローラ４１への負荷が大きくなると、負荷の変動により第１ベール支持部材４０に片持ち支持された固定軸４３が僅かに傾いて振動することがある。このような場合に、本実施形態では、固定軸４３を第１ベール支持部材４０に固定するための固定ボルト４６が回り止め部材４７により回り止めされているので、固定ボルト４６が緩みにくくなる。
【００７８】
釣りを行った後にスピニングリールを真水が入ったバケツなどに浸けて洗浄する場合、水圧により第１シール部材６４が後方に押し下げられて変形することがある。第１シール部材６４で第１部材６６と第２部材６７との隙間をシールしようとすると、第１シール部材６４の変形によりその隙間からドラグつまみ組立体６１の内部に液体が流入するおそれがある。しかし、本実施形態では、第２部材の突出部７５ｂの外周面に接触する筒状の接触部６５ａを第２シール部材６５に設けたので、第１シール部材６４が水圧により変形しても、ドラグつまみ組立体６１の内部に液体が浸入しにくい。このため、ドラグつまみ組立体６１の内部からスプール軸１５の外周部を通って摩擦部６２に液体が流入しにくくなり、摩擦部６２の濡れによるドラグ力の変動が生じにくくなる。
【００７９】
〔他の実施形態〕
（ａ）前記実施形態では、第１シール部材６４と第２シール部材６５とを別体にしたが一体で形成してもよい。この場合にも、第２シール部材の接触部により第１部材６６と第２部材６７の隙間を確実にシールできる。
【００８０】
（ｂ）前記実施形態では、第１シール部材６４に補強板８１を埋設したが、補強板を埋設しなくてもよい。この場合、第１シール部材全体が弾性を有しているので、第１部材の外周面に形成された環状溝に装着して抜け止めするようにしてもよい。
【図面の簡単な説明】
【００８１】
【図１】本発明の一実施形態が採用されたスピニングリールの側面図。
【図２】その側面断面図。
【図３】ハンドル把手の断面図。
【図４】ベールアームの分解斜視図。
【図５】第１ベール支持部材の平面図。
【図６】固定軸カバー付近のベールアームの断面拡大図。
【図７】スプールの断面図。
【図８】スプールの分解斜視図。
【図９】ドラグつまみ組立体の断面図。
【図１０】その分解斜視図。
【符号の説明】
【００８２】
４  スプール
１５  スプール軸
６０  ドラグ機構
６１  ドラグつまみ組立体
６２  摩擦部（ドラグ摩擦部の一例）
６３  つまみ部
６４  第１シール部材
６４ａ  リップ部
６５  第２シール部材
６５ａ  接触部
６５ｂ  環状凹部
６６  第１部材
６６ａ  鍔部
６６ｄ  環状溝
６７  第２部材
６８  つまみ発音機構
６９  音出し円板（音出し板の一例）
６９ａ  音出し凹部
７０  止め輪
７１  つまみ体
７２  ナット部
７３  ばね部材
７４  連結部材
７５  つまみ本体
７５ａ  円板部
７５ｂ  突出部
７６  カバー部
７７  操作つまみ
８２  打撃ピン（打撃部材の一例）
【手続補正３】
【補正対象書類名】図面
【補正対象項目名】図５
【補正方法】変更
【補正の内容】
【図５】
2009148173.tif 000001
【手続補正４】
【補正対象書類名】図面
【補正対象項目名】図９
【補正方法】変更
【補正の内容】
【図９】
2009148173.tif 000002
【手続補正５】
【補正対象書類名】図面
【補正対象項目名】図１０
【補正方法】変更
【補正の内容】
【図１０】
2009148173.tif 000003